(57)【要約】      （修正有）【課題】知的生産性が高く、静かなコンピュータ作業環境を実現する酸素供給装置を提供する。【解決手段】演算手段、記憶手段、入力手段、および表示手段などからなるコンピュータを酸素ブース４内に配し、酸素イオン導電性の固体電解質膜を使用した酸素発生手段２を介して酸素ブース４内の作業者７に高濃度酸素を送給するようにした。【効果】音が静かで、知的生産性の高いオフィス環境を実現することができる。【選択図】図１
2007130206.tif 000002
【特許請求の範囲】
【請求項１】
演算手段、記憶手段、入力手段、および表示手段などからなるコンピュータを酸素ブース内に配し、酸素イオン導電性の固体電解質膜を使用した酸素発生手段を介して酸素ブース内の作業者に高濃度酸素を送給するようにした酸素供給装置。
【請求項２】
酸素発生手段は、コンピュータの筐体に取り出し自在に設置した請求項１記載の酸素供給装置。
【請求項３】
酸素発生手段からの酸素は、コンピュータの音声入力手段であるマイク部の酸素放出穴から放出するようにした請求項１記載の酸素供給装置。
【請求項４】
酸素発生手段からの酸素は、コンピュータの表示手段であるディスプレイ部の酸素放出穴から放出するようにした請求項１記載の酸素供給装置。
【請求項５】
酸素発生手段からの酸素は、コンピュータの入力手段であるキイボードのキイ入力操作によって放出制御するようにした請求項１記載の酸素供給装置。
【請求項６】
キイボードに酸素放出制御用の専用のキイを配置した請求項５記載の酸素供給装置。
【請求項７】
所定時間入力操作が行なわれないと酸素発生手段からの酸素放出を停止するようにした請求項５または６記載の酸素供給装置。
【請求項８】
所定間隔で間欠的に酸素発生手段から酸素を放出するようにした請求項１記載の酸素供給装置。
【請求項９】
コンピュータの表示手段であるディスプレイ部のスクリーンセイバーと連動して酸素発生手段を発停させるようにした請求項１または８記載の酸素供給装置。
【請求項１０】
スクリーンセイバーが所定時間以上動作すると酸素の放出を停止する請求項９記載の酸素供給装置。
【請求項１１】
酸素発生手段は、コンピュータの表示手段であるディスプレイの前の人体検出手段と連動しており、人体を検出しなくなった時には酸素の放出を停止する請求項１の供給装置。
【発明の詳細な説明】
【技術分野】
【０００１】
本発明はコンピュータを配した酸素ブースへ酸素を供給するようにした酸素供給装置に関するものである。
【背景技術】
【０００２】
従来の酸素供給装置は、図１１に示すように、酸素富化膜１０１と呼ばれる厚さ０.１マイクロメートル程度のシリコン製膜の両側に１／４気圧程度の気圧差を与える構成としている。（例えば特許文献１参照）。
【０００３】
その原理は、大気中の酸素１０２ならびに窒素分子１０３は酸素富化膜１０１に溶解し、その膜内を拡散、減圧側から再び析出する。そして、酸素分子の酸素富化膜１０１に溶解するスピードは窒素分子の２．５倍もあるために、減圧側には酸素濃度が高まった空気が得られるというものであった。
【０００４】
しかしながら、上記のシリコン製膜の両側に気圧差を与えるのはコンプッサーやポンプ（図示せず）であり、その動作時に発生する騒音は、静音化を図っているもののコンピュータ作業時には耳障りなものであった。
【０００５】
また酸素を蓄えて人間に供給するものには、図１２に示すように、病院などでベッド２０１に横たわる人２０２の頭部を囲うようにベッド２０１上に置いた酸素ボックス２０３に酸素ボンベ２０４から供給するものがあった（例えば特許文献２参照）。
【特許文献１】特開昭６２−２８３８０１号公報
【特許文献２】特開平８−１９６５７９号公報
【発明の開示】
【発明が解決しようとする課題】
【０００６】
しかしながら、上記のシリコン製膜の両側に気圧差を与えるのはコンプッサーやポンプであり、その動作時に発生する騒音は、コンピュータ自体の静音化も求められている昨今にあっては耳障りなものであった。
【０００７】
また、ベッドに横たわる人に酸素を供給する酸素ボックスは、非常時の人にとっては必要なものの、健常者にとっての酸素供給手段としては自由を奪われ、不具合なものであった。
【０００８】
本発明はこのような従来の課題を解消するもので、静音化の面で優れた酸素供給装置を提供することを目的とする。
【課題を解決するための手段】
【０００９】
前記従来の課題を解決するために、演算手段、記憶手段、入力手段、および表示手段などからなるコンピュータを酸素ブース内に配し、酸素イオン導電性の固体電解質膜を使用した酸素発生手段を介して酸素ブース内の作業者に高濃度酸素を送給するようにしたものであり、原理的に酸素発生時に大気の減圧、加圧を必要としないので、静音化を図ることができ、コンピュータ作業時に酸素発生器とその酸素を保持できることにより、知的生産性の向上を図ることが可能となる。
【発明の効果】
【００１０】
本発明は、音の静かな酸素供給装置をコンピュータに設置し、高濃度酸素を供給してコ
ンピュータ作業時の疲れを癒し、さらにコンピュータ作業、知的生産性の向上を図ったものである。
【発明を実施するための最良の形態】
【００１１】
前記従来の課題を解決するために、第１の発明は、演算手段、記憶手段、入力手段、および表示手段などからなるコンピュータを酸素ブース内に配し、酸素イオン導電性の固体電解質膜を使用した酸素発生手段を介して酸素ブース内の作業者に高濃度酸素を送給するようにしたものであり、静音化と酸素富化空気を周囲に保持することによる作業効率、知的生産性の向上を図ったものである。
【００１２】
第２の発明は、特に第１の発明の酸素発生手段はコンピュータの筐体から取り出し可能としたものであり、単独での使用が可能となる。
【００１３】
第３の発明は、特に第１の発明の酸素発生手段は、コンピュータの音声入力手段であるマイク部に酸素放出穴を有するものであり、音声入力手段に酸素放出穴を設けることによってより高濃度の酸素を作業者に供給することが可能になる。
【００１４】
第４の発明は、特に第１の発明の酸素発生手段は、コンピュータの表示手段としてのディスプレイ部に酸素放出穴を有するものであり、ディスプレイを長時間見て疲れた眼の疲労回復に効果がある。
【００１５】
第５の発明は、特に第１の発明の酸素発生手段は、コンピュータの入力手段であるキイボードのキイ入力操作で酸素の放出開始を操作するようにしたものであり、使い勝手を良くすることが可能である。
【００１６】
第６の発明は、特に第５の発明のコンピュータの酸素放出開始は酸素関連のキイワードを入力することによって行なうようにしたものであり、他人の操作を禁止することも可能である。
【００１７】
第７の発明は、特に第５から第６の発明の酸素発生手段は、一定時間入力操作が行なわれないと酸素放出を停止するようにしたものであり、電力の無駄を防ぐことができる。
【００１８】
第８の発明は、特に第1の発明の酸素発生手段は、所定の間隔で間欠的に酸素を放出するものであり、電力の無駄を防ぐことができる。
【００１９】
第９の発明は、特に第８の発明の酸素発生手段は、スクリーンセイバーと連動し、前記スクリーンセイバー動作時に酸素を放出するものであり、作業能率が下がった時に酸素を放出し、作業効率を上げる事ができる。
【００２０】
第１０の発明は、特に第８の発明の酸素発生手段は、酸素発生手段は、スクリーンセイバーと連動し、前記スクリーンセイバーが一定時間以上動作すると酸素の放出を停止するものであり、スクリーンセイバーの動きから人がいないことを検出して酸素の放出を停止するものであり、電力の無駄を防ぐことができる。
【００２１】
第１１の発明は、特に第１の発明の酸素発生手段は、ディスプレイ前の人体検出手段を有し、人体を検出しなくなった時には酸素の放出を停止するものであり、ディスプレイの前に人がいる、いないを判定して酸素の放出を停止することから、電力の無駄を防ぐことができる。
【００２２】
以下、本発明の実施の形態について、図面を参照しながら説明する。なお、この実施の
形態によって本発明が限定されるものではない。
【００２３】
（実施の形態１）
図１，２において、演算手段や記憶手段などが収納されている筐体１の内部に酸素発生手段２が収納されており、そこで発生した酸素はパイプ３で酸素ブース４へ導かれ、キイボード（入力手段）５やディスプレイ（表示手段）６を使う作業者７へ酸素を供給するようになっている。
【００２４】
ここで、酸素発生手段２は、図２に示すように、固体電解質膜８の表裏に蒸着又は印刷によって設置した白金電極９，１０間に直流電源１１から直流電圧が印加され、また固体電解質膜８が酸素イオン導電性を有するよう温度を４００℃程度に保つためのヒータ１２が設置されている。
【００２５】
前記固体電解質膜８を介して酸素発生手段２内は、正の電圧が印加されたカソード側隔室１３と反対側のアノード側隔室１４に隔てられている。カソード側隔室１３では、入口１５から通常大気が送り込まれる。
【００２６】
そして、固体電解質膜８と電極９の境界面では、酸素分子が電子をもらい酸素イオンとなって固体電解質膜８の中に入っていく。
【００２７】
即ち
１／２Ｏ２＋２ｅ−→Ｏ２−
の反応が起きる。
【００２８】
一方、アノード側隔室１４の固体電解質膜８と電極１０の境界面では、固体電解質膜８を通ってきた酸素イオンが電子を放出して再び酸素分子となり、大気中にでてくる。
【００２９】
即ち
Ｏ２−→１／２Ｏ２＋２ｅ−
の反応が起きる。
【００３０】
ここで窒素分子は固体電解質膜８の内部を通過できないので、アノード側隔室１４は酸素分子が多い高濃度酸素状態になる。
【００３１】
カソード側隔室１３とアノード側隔室１４の間の密閉度を向上させると、原理的にはアノード側隔室１４は酸素濃度１００％の状態を実現できる。高濃度酸素は出口１６からパイプ３へ導かれ、酸素ブース４の中の作業者７に供給される。
【００３２】
この酸素発生手段２は固体電解質膜８の両端に電圧を印加するだけで酸素発生の目的を達することができ、酸素富化膜のように減圧用のポンプやコンプレッサなどの騒音の発生源を必要としない。
【００３３】
したがって、酸素ブース内でのコンピュータ作業を静かな環境で行なう事ができ、静音化が進んでいる昨今のパーソナルコンピュータにも対応した、騒音のない、しかも酸素でリフレッシュできる知的生産性の向上した環境を整えるという目的を達することができるものである。
【００３４】
図３のように、酸素発生手段４を筐体１の前面から出入できるように設定しておけば、コンピュータ作業以外の場所にでも酸素ブース４とともに持ち運んで使用することができるものである。
【００３５】
図４においては、コンピュータの音声入力手段であるマイク部１７に酸素放出穴１８を取り付け、作業者に装着できるようにしたものである。
【００３６】
このように、マイク部１７に酸素放出穴１８を取り付けることによって作業者の口や鼻に近い部分に効率的に酸素を供給することができる。また、酸素の供給が静音環境で行なわれるので、ノイズなどで音声入力に支障をきたすこともない。この酸素放出穴１８からの酸素は酸素ブース４内に蓄えられる。
【００３７】
図５はディスプレイ６の前面に酸素放出穴１９を配置した例で、ディスプレイ６に対する作業者７にこの酸素放出穴１９から酸素を送給することで、特に、作業者７の眼精疲労を低減する上で効果がある。この酸素放出穴１９からの酸素は酸素ブース４内に蓄えられる。
【００３８】
図６は酸素発生手段２の動作の制御入力をするキイボード５を示し、「Ａｉｒ」キイ２０を操作することにより、酸素発生手段２の発停を指示するようにしたものである。
【００３９】
このように、キイボード５上に操作キイを設定することにより、コンピュータ周辺機器として酸素発生手段２を操作することができ、操作性も良くなる。
【００４０】
図７もは酸素発生手段２の動作の制御入力をするキイボード５を示し、「Ａｉｒ」キイ２０の他に、特定のキイの連続をキイワードとして入力しなければ酸素発生手段２の発停指示ができないようにしたものである。例えば、「Ｓ」，「Ａ」，「Ｎ」，「Ｓ」，「Ｏ」、あるいは「Ｏ」，「２」などからでないと動作しないようにしてある。
【００４１】
このように、特定のキイワードを入力することによって、限定した個人にしか使えない設定とする事ができ、利用者の制限が可能である。また酸素の濃度や流量の設定も同様にキイボード５上からの操作で実行することが可能である。また、キイボード５からの操作を常時タイマーで監視するようにしておけば、一定時間キイ入力がなされないと酸素発生手段２を停止することができ、席を離れている場合等の電力の無駄遣いを防止する事ができる。
【００４２】
図８は、酸素発生手段２の別の例を示すもので、タイマー手段２１で間欠駆動の時間をカウントし、間欠的に直流電源１１をスイッチ２２を操作することで入切したり、出口１６の蓋２３の開閉を制御することによって酸素の放出を制御するものであり、高濃度の酸素を常時供給するのでなく、間欠的に供給することで、作業者７に刺激を与え、吸引の効果をさらに高める効能もある。
【００４３】
図９はディスプレイ６の表示に工夫を加えた例で、ディスプレイ６上にスクリーンセイバー表示２４がされた時、酸素ブース４内に高濃度酸素が放出される。スクリーンセイバー表示２４は入力が一定期間以上中断されていることを意味するので、その時点で酸素が放出されることは作業者の疲れを癒すに大いに効果がある。
【００４４】
また、スクリーンセイバー表示２４が一定時間以上継続動作すると作業者７がいなくなっている可能性が大きいので、酸素の放出が停止される。
【００４５】
図１０もディスプレイ６の別の例を示し、ディスプレイ６にはＣＣＤカメラ（人体検出手段）２５が設置され、作業者７がディスプレイ６の前にいるかどうかを監視しており、いないと判断した時には酸素放出を停止することにより無駄な電力の減らすことが可能である。
【００４６】
以上のような、コンピュータ作業時に高濃度酸素が放出される酸素ブースを作業者を包み込むように設置することによって、コンピュータ作業での疲れを酸素で低減でき、知的生産性を大いに高める作業環境を提供することが可能である。
【産業上の利用可能性】
【００４７】
以上のように、本発明にかかる酸素供給装置付きコンピュータの考えは、機械装置に併設して、作業時の疲労回復などを行なう装置にも応用が可能である。  
【図面の簡単な説明】
【００４８】
【図１】本発明の実施の形態１における酸素ブースの構成図
【図２】同、酸素発生手段の断面図
【図３】同、別の例における酸素ブースの構成図
【図４】同、別の例における酸素ブースの構成図
【図５】同、別の例における酸素ブースの構成図
【図６】同、酸素発生手段の動作の制御入力をするキイボードの構成図
【図７】同、酸素発生手段の動作の制御入力をするキイボードの構成図
【図８】同、別の例における酸素発生手段の構成図
【図９】同、別の例における酸素ブースの構成図
【図１０】同、別の例における酸素ブースの構成図
【図１１】従来の酸素供給装置の原理図
【図１２】従来の酸素ボックスの構成図
【符号の説明】
【００４９】
１  筐体
２  酸素発生手段
４  酸素ブース
５  キイボード（入力手段）
６  ディスプレイ（表示手段）
８  固体電解質膜
９，１０  電極
１１  直流電源（電圧印加手段）
１７  マイク部
１８，１９  酸素放出穴
２１  タイマー手段
２５  ＣＣＤカメラ（人体検出手段）
【図１】
2007130206.tif 000003
【図２】
2007130206.tif 000004
【図３】
2007130206.tif 000005
【図４】
2007130206.tif 000006
【図５】
2007130206.tif 000007
【図６】
2007130206.tif 000008
【図７】
2007130206.tif 000009
【図８】
2007130206.tif 000010
【図９】
2007130206.tif 000011
【図１０】
2007130206.tif 000012
【図１１】
2007130206.tif 000013
【図１２】
2007130206.tif 000014